(57)【要約】      （修正有）【課題】安価で簡単な仕組みからなる、ページ保持機能を有し、読書人の指で容易にページを捲って読み進めることが出来るブックカバーと、固定用クランプで安定物に固定して使用する、フレキシブルアームスタンドの形態を持つ書見台からなる、自由な向き・姿勢で、手放しで、読書が出来る読書補助器具を提供する。【解決手段】一般的なポリ素材板でブックカバーを作成し、バネのあるペットボトルの素材からなる透明ツメを組み込むことによって、ツメの反力と摩擦力により、ページを保持し、且つ読者の指で容易にベージ捲りが出来るブックカバーを、安定物に固定する、固定用クランプ、フレキシブルアーム、回転ヒンジ、ボールジョイントを有する書見台に、差し込み装着・固定することによって、好きな姿勢・向きで、両手放しで読書を楽しめる読書補助器具である。【選択図】図１０
2020090079.tif 000002
【特許請求の範囲】
【請求項１】
本に装着されるブックカバーに、左右のページを押さえるためのページ押さえ部材を設け、ページ押さえ部材が、ブックカバーに装着された本の左右の外側の部分から、それぞれ本の中央に向けて延出された透明ツメを有し、
透明ツメが、そのツメの下方のページを弾性的に抑えると共に引き抜くことを許容する弾力性を有する、ことを特徴とする読書補助器具。
【請求項２】
ブックカバーの左右に、透明ツメよりも弾性係数が高い舌部が形成され、
舌部の下部に挿入して透明ツメが装着されている、ことを特徴とする請求項１に記載の読書補助器具。
【請求項３】
請求項１または２に記載されたブックカバーが、着脱自在に装着される書見台を備え、その書見台に、その向きを自在に変更するためのボールジョイントと、回転ヒンジが取り付けられ、回転ヒンジに、書見台の姿勢を自在に変更するためのフレキシブルアームが取り付けられ、フレキシブルアームの先端に、書見台を読者の近傍の机やベッド等の安定物に固定するための固定用クランプが設けられた、ことを特徴とする読書補助器具。
【請求項４】
請求項３に記載された書見台に、書見台及びそれに装着された本の重量を受けて安定物に支持するための自在支持脚を設けた、ことを特徴とする読書補助器具。
【請求項５】
請求項３または４に記載された書見台の中央に、請求項１または２に記載されたブックカバーを着脱自在に装着するための舌状差し込み部が、本の天地方向に沿って設けられており、ブックカバーの中央に、舌状差し込み部が差し入れられる差し込みガイド、が本の天地方向に沿って設けられている、ことを特徴とする読書補助器具。
【請求項６】
請求項３から５の何れか１項に記載された書見台に、請求項１または２に記載されたブックカバーを、本に装着して、舌状差し込み部に差し込んだ状態で、ブックカバーごと、本の表紙を挟んで保持する着脱式挟み込みバーと、裏表紙を挟んで保持する着脱式挟み込みバー、とが設けられている、ことを特徴とする読書補助器具。
【請求項７】
請求項３から６の何れか１項に記載された書見台の、請求項５の舌状差し込み部に、請求項１または２に記載されたブックカバーに本を収納して差し込み装着したとき、当該部分のブックカバーの背の曲がりぐせを矯正するための差し込み部カバー矯正バー、が書見台の裏側に設けられている、ことを特徴とする読書補助器具。
【発明の詳細な説明】
【技術分野】
【０００１】  本発明は、一般的なクリアファイル等に使用されている汎用素材で製作できる、簡単な仕組みのページ保持機能を持ち、且つ容易にページを捲ることが出来るブックカバーと、ブックカバーを容易に着脱でき、且つしっかり固定できる接続部で、ボールジョイント、回転ヒンジ、フレキシブルアームおよび固定用クランプを有する書見台からなる読書補助器具に関する。
【背景技術】
【０００２】  今まで出願されているブックカバー、ブックホルダー、書見台において、ペ―ジ保持機能を実現するための仕組みは、それぞれ工夫を凝らした点がいろいろと見られる。【０００３】  特許文献１には、「眠ってしまう前に１頁でも数行でも読みたい」という願望を叶えたいということで、ブックカバーに、透明シートを取り付け、左右のページをそれぞれ別々に覆って、裏（ブックカバー表下部）でマグネットによって固定してページを押さえるブックカバーが開示されている。【０００４】  特許文献２には、ただ、本の背面に帯状に、本のサイズをはみ出す形で設けた頁押さえにワイヤーを内設し、本からはみ出した部分を折り曲げてページ押さえとする簡素な仕組みのブックホルダーが開示されている。【０００５】  特許文献３には、両端部のバネ付クリップで本の表紙を挟み、頁押さえ器本体を伸縮させて本を開いた状態に固定し、さらに両端部で、表紙以外の見開いたページの左右両端を、戻り止めゴムを装着したひと廻り大きいアーチ状のバインダークリップに挟んでページを保持するという緻密な仕組みのブックホルダーが開示されている。【０００６】  そして特許文献４には、ページ押さえが透明板であるところから注目したのだが、書見台中央に天地方向に、本の背が当たる部分に溝を設け、同方向に傾斜を有する矩形断面とし、左右に磁石を仕込んだ孔を開け、その穴に透明板を取り付けた金属棒を差し込み、磁力を利用してページを押さえるというページ保持機能を持つ書見台が先行技術として開示されている。
【先行技術文献】
【特許文献】
【０００７】
【特許文献１】特開２０１４−１６２０７７号公報
【特許文献２】特開２０１４−２１８０６９号公報
【特許文献３】特開２００７−１１２１０１号公報
【特許文献４】実開平８−１２５８号公報
【発明の概要】
【発明が解決しようとする課題】
【０００８】  特許文献１のブックカバーは、その目的にあるように、ページの保護や保持に重点が置かれているので、次々とページを捲って読み進めることが面倒である。【０００９】  特許文献２は、何度も何度も折り曲げてページ押さえをするであろう、ワイヤーの繰り返し曲げ伸ばしに対する耐久性に問題があると思われる。加えて、ワイヤーが文字を隠してしまうので読みづらい。【００１０】  特許文献３の読書支援器は、構造が複雑で、コストも高くなりそうで、果たして現実的にどうなのであろうかという疑問が生じる。また、ページ押さえも、読み始めと読み終わりの辺りでうまく機能するのか疑問がある。【００１１】  特許文献４は、天地方向に勾配を持つ矩形断面の、さらに天地方向に凹溝を設け、その裏に本の天地を固定するスライドストッパーを設けた、「プラスチックあるいは金属板等で形成された矩形平板状の台」に、先端に、透明なページ押さえをもつ金属棒を指し込むための、磁石を仕込んだ孔を、本のサイズ別に見合うところに左右１ヶ所ずつ設置した書見台は、Ａ５判に対応するためにはそれ自体はＡ４サイズより大きくなる。この台に本の地受け板をスライドさせるレールまでつけて製作するのはコストが掛かりすぎて現実的ではないように思われる。【００１２】  また、市販されている介助用読書補助器は、大がかりな高価なもので、安価で、簡易な読書補助器はない。【００１３】  本発明は、安価な材料で、簡単な仕組みにより、ページ保持が出来、且つ容易にページを捲くることが出来るブックカバーと、
それを容易に着脱出来、手放しで、横臥状態でも読書ができる、汎用部材から作る書見台からなる、読書補助器具を提供することを目的とする。
【課題を解決するための手段】
【００１４】  上記の目的を解決するために、一般のクリアファイルなどの表紙と同じ素材でブックカバーを、ペットボトルの素材で透明ツメを作る。【００１５】  請求項１にかかる発明として、ブックカバーに、左右のページを押さえるためのページ押さえ部材を設け、ページ押さえ部材が、ブックカバーに装着された本の左右の外側の部分から、それぞれ本の中央に向けて延出された透明のツメを有し、透明ツメが、透明ツメの下方のページを弾性的に押さえると共に引き抜くことを許容する弾性力を有する、ことを特徴とする読書補助器具が提供される。【００１６】  請求項２にかかる発明として、ブックカバーの左右に、透明ツメよりも弾性係数が高いブックカバー舌部が形成され、ブックカバー舌部の下に、透明ツメが装着されている、ことを特徴とする請求項１に記載の読書補助器具が提供される。【００１７】  請求項３にかかる発明として、請求項１または２に記載されたブックカバーが、着脱自在に装着される書見台を備え、書見台にその向きを自在に変更するためのボールジョイントと回転ヒンジが取り付けられ、回転ヒンジに、書見台の姿勢を自在に変更するためのフレキシブルアームが取り付けられ、
フレキシブルアームの先端に、書見台を読者の近傍の机やベッド等の安定物に固定するための固定用クランプが設けられた、ことを特徴とする読書補助器具が提供される。【００１８】  請求項４にかかる発明として、請求項３に記載された書見台に、書見台およびそれに装着された本の重量を受けて安定物に支持するための自在支持脚を設けた、ことを特徴とする読書補助器具が提供される。【００１９】  請求項５にかかる発明として、請求項３または４に記載された書見台の中央に、請求項１または２に記載されたブックカバーを着脱自在に装着するための舌状差し込み部が本の天地方向に沿って設けられており、ブックカバーの中央に、舌状差し込み部が差し入れられる差し込みガイドが本の天地方向に沿って設けられている、ことを特徴とする読書補助器具が提供される。【００２０】  請求項６にかかる発明として、請求項３から５の何れかの１項に記載された書見台に、請求項１または２に記載されたブックカバーを、本に装着して、舌状差し込み部に差し込んだ状態で、ブックカバーごと、本の表紙を挟んで保持する着脱式挟み込みバーと、裏表紙を挟んで保持する着脱式挟み込みバー、とが着脱自在に設けられている、ことを特徴とする読書補助器具が提供される。【００２１】  請求項７にかかる発明として、請求項３から６の何れかの１項に記載された書見台の、請求項５の舌状差し込み部に、請求項１または２に記載されたブックカバーを差し込み固定したとき、当該部分のブックカバーの背の曲がり癖を矯正するための差し込み部カバー矯正バーが書見台の裏側に設けられている、ことを特徴とする読書補助器具が提供される。
【発明の効果】
【００２２】  請求項１によれば、ブックカバーのページ押さえは、透明ツメなので、透明ツメを本の中央側に延出してページ押さえ機能を高めても、ページの文字が遮られることは無く、適切に読書できる。
本の中央に向けて延出された透明ツメが弾性を有するので、ページが意に反して捲れることはなく、且つ読者の指によって１ページづつ適切に捲ることが出来る。【００２３】  本発明のページ保持の仕組みは、ワイヤー等を用いるのではなく、ページが捲れようとする力に対する、透明ツメの反力と摩擦力によってページを保持しているので、ワイヤー等が文字を隠して読書の邪魔をするようなことは全く無く、また、読者は本に触れずに、指だけでページを捲って読み進めることができるので、快適に読書が出来る。使い慣れれば、読者は指１本で、ページを捲ることも可能である。【００２４】  請求項２によれば、ブックカバーの左右に形成されたブックカバー舌部は、弾性係数が透明ツメよりも高いので、透明ツメおよび舌部からなるカンチレバータイプのページの押さえ部材の根元側のコシが強くなり、ページを適切に押さえることが出来、且つ適切に捲ることが許容される。
根元側のコシを強くすることによって、本のページ保持が、見開いた状態により近づく。【００２５】  請求項３によれば、ブックカバーが着脱自在に装着される書見台の、ボールジョイントと回転ヒンジにより、書見台の向きが変更自在であり、フレキシブルアームにより書見台の姿勢が変更自在であるので、読者が例えば横臥状態であっても適切に読書できる。【００２６】  請求項４によれば、書見台に設けた自在支持脚によって、書見台およびそれに装着された本の重量を支持できるので、ボールジョイントおよび回転ヒンジ並びにフレキシブルアームに加わる荷重負担が軽減され、書見台の向きおよび姿勢を安定して保持できる。
また、自在支持脚を設けることによって、ページを捲る際に生じる、書見台の揺れが解消される。【００２７】  請求項５によれば、ブックカバーの差し込みガイドに書見台の舌状差し込み部を差し入れることで、書見台に対するブックカバーの位置が定まり、ブックカバーが書見台にしっかりと装着される。【００２８】  請求項６によれば、本の表紙および裏表紙をそれぞれ、着脱式挟み込みバーによって挟んで書見台に保持することで、強固に保持できるので、透明ツメ補強パーツを取り付けて、本の向きを９０度傾けても、本が書見台から落下することなくガタ付くことなく、適切にページを保持し、指でページを捲って読書することが出来る。
文庫本・新書版で厚さ２０ｍｍ程度であれば、左右に透明ツメ補強パーツを取り付ければ、本の姿勢を、仰向けで読書する姿勢としても、適切にページを保持し、指でページを捲って読書することが出来る。【００２９】  請求項７によれば、書見台の舌状差し込み部の背面に設けた、差し込み部カバー矯正バーによって、ブックカバーが完全に見開いた状態になることで、本自体も見開いた状態に近づくことにより、読み易くなる。
【図面の簡単な説明】
【００３０】
【図１】  本発明のブックカバーを手のひらに載せた鳥観図
【図２】  ブックカバーの展開図
【図３】  透明ツメ取り付け部の詳細図
【図４ａ】  ブックカバー正面図
【図４ｂ】  ブックカバー横断面図
【図５】  ブックカバーを畳んだ形態および寸法基準図
【図６】  ブックカバーを装着した本発明の書見台の後方からの鳥観図
【図７】  書見台側面図
【図８】  書見台正面図
【図９ａ】  書見台挟み込みバー上部締付け部詳細図
【図９ｂ】  書見台挟み込みバー下部締付け部詳細図
【図１０】  本発明のブックカバーと書見台からなる読書補助器具を使用して、横臥状態で、本の向きを９０度傾けて読書している実施例を示す鳥観図
【発明を実施するための形態】
【００３１】  この発明の第一形態である読書補助器具を構成するブックカバーと書見台の、請求項１および２のブックカバー２について説明する。
ブックカバー２の素材は厚さ１ｍｍのポリプロピレン板材（一般のクリアファイル等の表紙と同材）を、透明ツメ３は厚さ０．５ｍｍのポリエチレンテレフタレート透明板（ペットボトルの素材と同材）を使用する。
【００３２】  本のページは、上記の透明板からなる透明ツメ３の反力と摩擦力によって保持される簡単な仕組みなので、特許文献３および４のようにコストが掛かるものではなく、特許文献２のようなワイヤー等も一切使用していないので、文字を隠して読みにくくしたりするもの無い。
透明ツメ３を本の中央側に延出して、あるいは厚みを増してページ押さえ機能を高めても、ページの文字が遮られることは無く、適切に読書することができる。
また、本の中央に向けて延出された透明ツメが弾性を有するので、ページが意に反して捲れることは無く、且つ読者の指によって１ページづつ適切に捲ることができ、特許文献１のようにページを捲るのに手間がかからない。
【００３３】  図１はブックカバー２を手のひらにのせて読書している形態の鳥観図である。手のひらにのせた状態で、透明ツメ３でページが保持されており、ページが意に反して捲れてしまうことはない。
【００３４】  本のページを捲る時は、捲るページを指で、誌面を垂直方向に軽く押さえながら左側の透明ツメ３の下から引き出し、右側の透明ツメ３の下に同じ要領で差し込むことで、読書人の指だけで簡単にページを捲って読み進めることが出来る。
【００３５】  図２はブックカバー２の展開図である。あらかじめカバーの背表紙にあたるところの内側に、ブックカバーと同材の差し込みガイド８を溶着し、表紙ポケット５に、透明ツメ３を差し込むブックカバー切り込み６を入れて、ブックカバー舌部７を作っておく。
図３は表紙ポケット５に透明ツメ３を取り付ける部分の詳細図で、台形の形に切り込んだブックカバー切り込み６に、ポケットの外側になる方から、内側になる方に透明ツメ３を差し込んで、表紙ポケット５の溶着とともに接合する。
【００３６】  切り込み６を台形の形にした理由は、初めはコの字形に切り込んでいたのだが、実際に使用しているうちに、切り込みが進んでいってしまい、透明ツメ３根元のコシが弱くなってきたことから、力の方向を分散させて、切り込みが進みにくくするために、台形の形の切り込みに変更した。コシも以前より強い。
【００３７】  表紙ポケット５の形も、書見台１３に装着した状態でも本を収納し易く、且つ挟み込みバーで挟むときに、ポケット全体を均等に挟み込むことが出来るように、試行錯誤のうえ図２、図３のような、隅丸切りだけの形状にした。
また、図２に記す表紙ポケット溶着部折り返し４は、ブックカバー２の左右端溶着部の仕上りが切り放しにならないように、図４のように折り返して溶着するために設けたものである。
【００３８】  図４がブックカバー完成形の正面図および横断面図である。
本を着脱する時や、ページを保持したまま畳むときなどの動きやシナリの違い等により、舌部の切り込みが進まないように、弾性係数が異なる透明ツメ３とブックカバー舌部７の重なり部分（図３および図４に示す斜線部）は接合しない。
【００３９】  また、ブックカバー２は、図５に示すように、透明ツメ３でページを保持したまま折り畳むことができるように、カバーの寸法を左右とも２５ｍｍの余裕を持たせている。そのため、しおりを必要としない。
【００４０】  ブックカバー２は、文庫本・新書版兼用のＳサイズ、Ｂ６判・４六判兼用のＭサイズ、単行本・Ａ５判兼用のＬサイズの３種類とし、背の寸法は、Ｓサイズを１５ｍｍ、Ｍサイズを２０ｍｍ、Ｌサイズは２５ｍｍを標準とした。
【００４１】  背の折り目を、この標準の寸法の位置と、さらに左右ともプラス５ｍｍの位置の、それぞれ２ヶ所に設けることによって、カバーの耐久性が増す。
また、各サイズとも本の厚さがプラス１０ｍｍ程度まで対応が可能（この左右のプラス５ｍｍは、２５ｍｍの余裕の中で吸収できる）だが、ページを保持したまま折り畳むことは難しくなる。
【００４２】  図５−折り畳んだ状態の寸法図の、ブックカバー全幅Ｗと全高Ｈの、サイズ別寸法を、以下に示す。
全幅、全高は、兼用できる本の大きい方の寸法を採用して、
Ｓサイズ全幅Ｗ＝１０５＋２５＝１３０ｍｍ、全高Ｈ＝１８２＋３＝１８５ｍｍ
Ｍサイズ全幅Ｗ＝１２８＋２５＝１３３ｍｍ、全高Ｈ＝１８８＋３＝１９１ｍｍ
Ｌサイズ全幅Ｗ＝１５０＋２５＝１７５ｍｍ、全高Ｈ＝２２０＋３＝２２３ｍｍ
とする。
【００４３】  次に、第一形態を構成する、請求項３から７の書見台１３について説明する。
書見台１３には、図６に示すように、その向きを自在に変更するためのボールジョイント１２および回転ヒンジ１１が取り付けられ、回転ヒンジ１１に、書見台の姿勢を自在に変更するためのフレキシブルアーム１０が取り付けられ、フレキシブルアーム１０の先端に、書見台を読者近傍の机やベッド等の安定物に取り付けるための固定用クランプ９が設けられている。
【００４４】  この書見台１３を、固定用クランプ９で、近傍の安定物に固定し、ブックカバー２に設けられた差し込みガイド８を、図８に示す書見台１３に設けられた舌状差し込み部１４に差し込むことによって、ブックカバー２を確実に装着する。
このとき、舌状差し込み部１４は、書見台１３を切り抜いて作られているので、切り抜いた部分に当たる、ブックカバー２の背の部分の曲がり癖を矯正するために、図６に示す、差し込み部カバー矯正バー１５が書見台１３の背面側に設置されている。これにより、ブックカバーが完全に見開いた状態になることで、本自体も見開いた状態に近づくことにより、読み易くなる。
【００４５】  また、読もうとする本が単行本、あるいはＡ５判であるときは、本と書見台１３の合計重量を、フレキシブルアームだけでは支えられないので、図６のように差し込み部カバー矯正バー１５に、トラスネジと蝶ナットで設置されている、自在支持脚１８を下ろし、向きを調整し、締め付け、重量を分担させる。
これにより、書見台１３の向きおよび姿勢を安定して保持できる。
【００４６】  本の向きを天地方向そのままで読書するのであれば、ここまでの固定で十分であり、書見台１３のフレキシブルアーム１０および回転ヒンジ１１、ボールジョイント１２と、自在支持脚１８により、読者は本およびブックカバー２を持つことなく、ページ保持機能を有し、読者の指だけでページを捲り、読み進めることができるので、手放しで読書が出来き、腕が痺れたり、疲れたりすることなく、椅子に座ったり、横になったり、好きな姿勢で、読書を楽しむことが出来る。
そして、ここまでの固定でのメリットは、本をブックカバー２ごと着脱することが容易なので、昨晩に書見台１３に装着して読んだ本を、翌朝にブックカバーごと抜き取って、通勤・通学、外出に持ち歩いて続きを読み、帰宅後に、再び書見台に装着することが容易である。
【００４７】  次に、書見台１３へのブックカバー２の着脱式挟み込みバー１６を用いた強固定について説明する。
書見台１３の左右端部には、図６，７，８に示す着脱式挟み込みバー１６が設けられている。この着脱式挟み込みバー１６で、ブックカバー２を装着した本を、そのままブックカバーごと挟み込み、バーの上部および下部を、書見台１３に取り付けられたトラスネジと蝶ナットで締め込み固定する（強固定と呼ぶ）ことによって、透明ツメ補強パーツ１７を取り付け、図１０のように本の向きを９０度傾けても、ページを保持し、読書人の指だけでページを捲って、読書することが出来るので、横臥状態での読書には最適である。また、透明ツメ補強パーツ１７は、透明ツメ３と同材なので、字を隠して読みづらくするようなことはない。
【００４８】  また、厚さ２０ｍｍ程度までの単行本や新書版の本であれば、フレキシブルアームだけで保持できるので、自在支持脚１８を折り上げ収納して、透明ツメ補強パーツ１７をブックカバー２の左右両端に取り付けることにより、読書面を下向きにして、仰向けの姿勢でも、ページを保持し、読書人の指でページを捲って、読書することが出来る。
【００４９】  着脱式挟み込みバー１６を用いて強固定する際には、図９ａに示すように、上部は縦ルーズホールにして遊びを設け、下部は図９ｂに示すように、本の表紙の厚みに応じて挟み込めるように、Ｌ字形切り込みを設け、書見台１３のルーズ孔で貫通して取り付けてあるトラスネジと蝶ナットで締め付けるようにしてある。
【００５０】  挟み込みの要領は、まず、上下両方のネジを緩め、着脱式挟み込みバーの下部を外し、本をブックカバー２ごと挟み込んだら、バーの下部のＬ字形切り込みを、書見台を貫通しているトラスネジと蝶ナットで、書見台とバーを裏表からつまみながら締め込み、その後に、上部のトラスネジと蝶ナットを締め付ければ、確実に締め付けることが出来る。
【００５１】  トラスネジは頭部外径が大きく、接地面積が大きいので、締付けの際は、指でネジ頭部を上から軽く押さえて、蝶ナットを締めれば、挟み込みに必要な締め付けは得られるので、ドライバーでの締付けは不要である。弛める際も同様である。
なお、着脱式挟み込みバー１６の上部および下部のトラスネジと蝶ナットは、紛失を防ぐため、弛めきっても外れないように、トラスネジ先端を加工しておく。
【００５２】  図１０は、本発明のブックカバー２と書見台１３による読書補助器具を、ブックカバー２を装着し、書見台１３の固定用クランプ９で、ベッドのヘッドボードに取り付け、ブックカバー２と本を、着脱式挟み込みバー１６で挟み込み強固定したうえで、自在支持脚１８を下ろし、向きを調整・固定し、透明ツメ補強パーツ１７を取り付け、本を９０度傾けて、ベッドに横臥した状態で、手放しで読書をしている、本発明の第一形態の図である。
【００５３】  この発明の第二形態として、請求項１および２のブックカバー２を、単独で使用する形態について説明する。
本発明のブックカバー２は、それ自体がページ保持機能を有し、読書人の指だけで容易にページを捲り、読み進めていくことができるので、読書人は立位の読書時以外はブックカバー２を手に持つ必要がない。そのため、普段の読書（座位）はもちろん、学習時、あるいは仕事において、本を読むとき、本を見ながらノートに書き写す、あるいはパソコンに打ち込むときなど、机の上に置いて使用するなど、様々な用途に活躍が期待できる。
【００５４】  また、立位での読書においても、読書人は片方の手の平にブックカバー２を載せて、ページを捲る時だけもう一方の手の指を使うだけなので、通勤・通学時のつり革につかまっての読書も、快適に行うことが出来る。
ただ、本発明のブックカバー２の材質は、非常に滑り易いので、立位で読書をする場合は、ブックカバー２の表側に滑り止めシールを貼る、あるいは、紐やゴム紐などをかけて、手がかりを作るなど、滑落防止措置を施して使用することが必要である。（単独で商品化する場合は、カバーに、親指とその他の４指を差し込んでカバーを持てるバンドを付けておく等の対策を施して商品化する。）
【産業上の利用可能性】
【００５５】  本発明の読書補助器具は、この器具を発明するきっかけとなった、病院や自宅で、横になって過ごさなければならない人々にとって、大変重宝するものである。
また、健常者であっても、就寝前のちょっとした時間や、休日に、ベッドに横になって、あるいは椅子に座って読書する時、この読書補助器具があれば、本を手で持つ必要がなく、腕が疲れることがないので、大変喜ばれるものと確信する。【００５６】  また、本発明の読書補助器具のブックッカバー２は、第二形態に示したように、ブックカバー単体での需要も見込まれる。
今回、ブックカバー２に使用した素材のポリプロピレン板材にはさまざまな色や透明度のものがあり、また、模様や絵柄をプリントすることもできるので、多種にわたるバリエーションの製品を生産することが出来る。
また、表・裏表紙ポケット内側を残して、ブックカバー２の上から皮革で覆えば、本発明のブックカバーの機能を有したまま、高級感のあるブックカバーが出来あがるし、綿布で覆えば、いろいろなデザイン・色のカジュアルなブックカバーが生産可能である。【００５７】  さらに、本発明の対象は、読み物として、文庫本・新書版用のＳサイズ、Ｂ６判用のＭサイズ、単行本のＬサイズの３サイズとしたが、需要が見込めるようであれば、これより大きい本や雑誌に対応するブックカバーも、材の厚みを変えること、あるいは素材自体を変えることによって、対応は可能である。
また、書見台も、コストは上がるが、重荷重用のフレキシブルアームでも、三脚式でも対応できるので、大きいサイズでも対応は可能である。
【符合の説明】
【００５８】  １    本
２    ブックカバー
３    透明ツメ
４    表紙ポケット溶着部折り返し
５    表紙ポケット
６    ブックカバー切り込み
７    ブックカバー舌部
８    差し込みガイド
９    固定用クランプ
１０  フレキシブルアーム
１１  回転ヒンジ
１２  ボールジョイント
１３  書見台
１４  舌状差し込み部
１５  差し込み部カバー矯正バー
１６  着脱式挟み込みバー
１７  透明ツメ補強パーツ
１８  自在支持脚
【図１】
2020090079.tif 000003
【図２】
2020090079.tif 000004
【図３】
2020090079.tif 000005
【図４ａ】
2020090079.tif 000006
【図４ｂ】
2020090079.tif 000007
【図５】
2020090079.tif 000008
【図６】
2020090079.tif 000009
【図７】
2020090079.tif 000010
【図８】
2020090079.tif 000011
【図９ａ】
2020090079.tif 000012
【図９ｂ】
2020090079.tif 000013
【図１０】
2020090079.tif 000014